(57)【特許請求の範囲】
【請求項１】
電極本体の端面から突出し鋼板部品の下孔に貫通する断面円形のガイドピンが金属材料またはセラミック材料などの耐熱硬質材料で構成され、
電極本体のガイド孔に摺動できる状態で嵌め込まれ、ガイドピンが挿入された状態でガイドピンと一体化されている断面円形の摺動部が合成樹脂材料で構成され、
摺動部の肉厚は、摺動部における蓄熱量を低減させるように薄肉とされているとともに、摺動部に冷却空気の空気通路が形成され、
ガイドピンの直径に対する摺動部の直径の比が１．３〜１．７とされているとともに、ガイドピンの長さに対するガイドピンが摺動部に差し込まれている長さの比を１／２以上とすることにより、摺動部の薄肉化と、摺動部とガイドピンの一体性向上を確保し、
摺動部の端面とガイド孔の内端面が密着したり離れたりして冷却空気の断続を行うように構成したことを特徴とする電気抵抗溶接用電極。
【発明の詳細な説明】
【技術分野】
【０００１】  この発明は、金属材料などで作られたガイドピンに合成樹脂製の摺動部が一体化された構造部分に改良がなされた電気抵抗溶接用電極に関している。
【背景技術】
【０００２】  特許第２９０３１４９号公報や特開２０１５−０５１４５７号公報には、金属材料などで作られたガイドピンに合成樹脂製の摺動部が一体化された構造が記載されている。
【先行技術文献】
【特許文献】
【０００３】
【特許文献１】特許第２９０３１４９号公報
【特許文献２】特開２０１５−０５１４５７号公報
【発明の概要】
【発明が解決しようとする課題】
【０００４】  上記特許文献１および２に記載されている技術は、金属材料などで作られたガイドピンに合成樹脂製の摺動部が一体化された構造であるが、直径方向で見た摺動部の肉厚が大きいので、摺動部の熱膨張量が過大になり、摺動部外周面の異常摩耗や、ガイドピンの異常傾斜などの問題がある。【０００５】  本発明は、上記の問題点を解決するために提供されたもので、電気抵抗溶接用電極において、ガイド孔内を進退する摺動部の蓄熱量を低減させて、摺動部外周面の異常摩耗を防止したり、ガイドピンの異常傾斜を防止したりすることを目的としている。
【課題を解決するための手段】
【０００６】  請求項１記載の発明は、
電極本体の端面から突出し鋼板部品の下孔に貫通する断面円形のガイドピンが金属材料またはセラミック材料などの耐熱硬質材料で構成され、
電極本体のガイド孔に摺動できる状態で嵌め込まれ、ガイドピンが挿入された状態でガイドピンと一体化されている断面円形の摺動部が合成樹脂材料で構成され、
摺動部の肉厚は、摺動部における蓄熱量を低減させるように薄肉とされているとともに、摺動部に冷却空気の空気通路が形成され、
ガイドピンの直径に対する摺動部の直径の比が１．３〜１．７とされているとともに、ガイドピンの長さに対するガイドピンが摺動部に差し込まれている長さの比を１／２以上とすることにより、摺動部の薄肉化と、摺動部とガイドピンの一体性向上を確保し、
摺動部の端面とガイド孔の内端面が密着したり離れたりして冷却空気の断続を行うように構成したことを特徴とする電気抵抗溶接用電極である。
【発明の効果】
【０００７】  通常、金属材料製の電極本体やガイドピンに比して、合成樹脂製電極部品の熱膨張量は著しく大きいのであるが、上述のように、合成樹脂製の摺動部が薄肉とされて蓄熱量が低減されているので、直径方向における摺動部自体の熱膨張量が小さくなる。連続的な溶接によって加熱サイクルが増大して摺動部の温度が耐えられる最高値に達しても、上記熱膨張量が少ないために、ガイド孔内面に対する加圧力が低減し、摺動部の摺動面における摩耗量が最小化される。このため、最も消耗しやすい摺動部の耐用期間が長期化され、部品メンテナンスの面で有効である。【０００８】  さらに、上記熱膨張量の低減により、摺動部外周面とガイド孔内周面との間の摺動間隙が小さく保たれて、ガイドピンの傾きが抑制される。このようにガイドピンの傾斜角度を最小化することにより、ガイドピンで支持されているプロジェクションナットやプロジェクションボルトの鋼板部品の下孔に対する位置精度が向上する。すなわち、下孔の中心軸線と上記ナットやボルトの中心軸線のずれを最小化することができ、溶接精度の向上にとって有効である。【０００９】  摺動部の肉厚が大きければ、摺動部材料の膨張量が増大し、その増大分が空気通路の空間の方へ膨張するので、空気通路の流路面積が縮小され、冷却空気の流量が低減し、冷却効果が低減する。しかし、上述のように、摺動部の肉厚を低減することにより、摺動部材料の膨張量を最小化することができ、それに伴って空気通路の流路面積の減少を回避し、正常な冷却作用がなされる。【００１０】  摺動部の薄肉化にともなって摺動部の直径が小さくなるので、電極本体の直径も小さくなって、狭い箇所などでの電極配置が行いやすくなる。【００１１】  上述の薄肉化に加えて、摺動部には、冷却空気の空気通路が形成されているので、体積が小さくされた摺動部の冷却が効果的になされ、上記熱膨張量低減による作用効果の一層の促進が図られる。【００１２】  以上に述べたように総括的に見ると、摺動部の端面とガイド孔の内端面との密着面積を必要最小限に確保しつつ摺動部の薄肉化を図ることが、冷却空気の断続を確実に行い、摺動部の摩耗量を低減して耐用時間を長期化し、ナットやボルトの鋼板部品の下孔に対するセンタリングが向上し、冷却空気の正常な空気通路面積の確保などを実現することに相関しており、耐久性や溶接精度向上などに寄与する電気抵抗溶接用電極がえられる。【００１３】ガイドピンの直径に対する摺動部の直径の比が１．３〜１．７である。【００１４】ガイドピンの直径に対する摺動部の直径の比を１．３〜１．７とすることにより、摺動部の肉厚を薄肉に設定するとともに、摺動部の端面とガイド孔の内端面との密着面積を摺動部全周にわたって確保することができ、上述のような薄肉化にともなう熱膨張や摩耗量の少量化、軸心合致面の精度向上などの利点確保以外に、冷却空気の断続作用が確実に達成される。さらに、摺動部の適正な肉厚を確保することにより、冷却空気の空気通路が確実に形成され、摺動部の冷却が正常になされる。【００１５】  上記の比が１．３未満であると、摺動部の肉厚が薄すぎてガイド孔の内端面に対する摺動部端面の着座面積が十分に確保できない、という問題が発生する。つま���、摺動部端面の直径方向で見た着座幅に不足を来たし、節度ある冷却空気の断続が不可能となる。さらに、冷却空気の空気通路が摺動部外周面に空気溝を形成するような形式であると、空気溝の通気断面積を十分に確保することが困難となり、適正な空冷が不可能となる。【００１６】  一方、上記の比が１．７を超えると、摺動部の肉厚が過大になり、摺動部の蓄熱量も過大になり、上述のような薄肉化にともなう熱膨張や摩耗量の少量化、軸心合致面の精度向上などの利点が追求できないこととなる。したがって、ガイドピンの直径に対する摺動部の直径の比を１．３〜１．７とすることにより、優れた信頼性の高い電気抵抗溶接用電極がえられる。
【図面の簡単な説明】
【００１７】
【図１】電極の各部の断面図である。
【図２】他の電極の断面図である。
【発明を実施するための形態】
【００１８】  つぎに、本発明に係る電気抵抗溶接用電極を実施するための形態を説明する。
【実施例１】
【００１９】  図１は、本発明の実施例１を示す。【００２０】  最初に、電極本体について説明する。【００２１】  銅合金製の電極本体１は、円筒状の形状であり、静止部材１１に差し込まれる固定部２と、鋼板部品３が載置されるキャップ部４がねじ部５において結合されている。電極本体１には断面円形のガイド孔６が形成され、このガイド孔６は少なくとも大径孔７とキャップ部４の中央部に開口する小径孔８によって構成されている。【００２２】  固定部２の下部にテーパ部９が形成され、このテーパ部９が静止部材１１に設けたテーパ孔に嵌入されるようになっている。固定部２の側部に圧縮空気をガイド孔６に導入する通気口１０が設けてある。【００２３】  つぎに、摺動部について説明する。【００２４】  ガイドピン１２は、ステンレス鋼のような金属材料またはセラミック材料等の耐熱硬質材料で構成されている。摺動部１３は、耐熱性に優れた絶縁性合成樹脂、例えば、ポリテトラフルオロエチレン（商品名：テフロン・登録商標）によって構成されている。ガイドピン１２は、摺動部１３に挿入された状態で一体化されている。ガイドピン１２と摺動部１３は、いずれも断面円形であり、ガイドピン１２は鋼板部品３の下孔１４を相対的に貫通して鋼板部品３の位置決め機能を果たし、その先端部に嵌め合わされた鉄製のプロジェクションナット１５を支持している。そのために、プロジェクションナット１５のねじ孔に合致する小径部１６が形成されている。【００２５】  以下の説明において、プロジェクションナットを単にナットと表現する場合もある。ナット１５は、四角い本体の中央部にねじ孔が形成されたもので、本体の四隅に溶着用突起２１が形成されている。電極本体１は、固定電極であり、それと同軸状態で可動電極２３が配置してある。【００２６】  なお、図１（Ｂ）のＣ−Ｃ断面が同図の（Ｃ）図であり、Ｄ−Ｄ断面が同図の（Ｄ）図である。【００２７】  摺動部１３は、大径孔７内に実質的に隙間がなくて摺動できる状態で嵌め込んである。摺動部１３に挿入孔１７が開けられ、そこにガイドピン１２が圧入されている。ガイドピン１２の端部にこれと一体的にボルト３１が形成され、摺動部１３の底部材１８にボルト３１を貫通し、ワッシャ１９を組み付けてロックナット２０で締め付けてある。なお、摺動部１３は、可動電極２３が動作して溶接電流が通電されたときに、電流はナット１５の溶着用突起２１から鋼板部品３にのみ流れるように、絶縁機能を果たしている。【００２８】  摺動部１３の端部に端面２４が形成され、この端面２４が大径孔７の内端面２５に密着するようになっている。端面２４と内端面２５は、ガイドピン１２の軸線（電極本体１の中心軸線）に直交する平面の状態で、しかもガイドピン１２の軸心を環状に包囲する環状面とされている。端面２４と内端面２５が密着したり、離れたりして冷却空気の断続を行うもので、この密着箇所が開閉弁の役割を果たしている。【００２９】  ガイドピン１２と小径孔８との間に圧縮空気が通過する隙間２２が形成してある。可動電極２３の進出によってガイドピン１２が押し下げられると、端面２４が内端面２５から離れ、空気流通の空隙が形成される。上記のように、端面２４と内端面２５の密着��分が開閉弁の機能を果たしている。通気口１０から入った圧縮空気は、空気通路２６、端面２４と内端面２５の間、隙間２２などを通ってナット１５の溶着部の冷却や、スパッタの進入防止がなされる。【００３０】  摺動部１３の外周面に、冷却空気の空気通路２６が電極本体１の中心軸線方向に形成してある。空気通路２６としては種々なものが採用できる。ここでは、図１（Ａ）や（Ｄ）に示すように、摺動部１３の外周面に平面部２７を２つ対向させて形成して空気通路２６が構成してある。これに換えて、図１（Ｅ）に示すように、摺動部１３の外周面に複数の凹溝２８を電極本体１の中心軸線方向に形成して、空気通路２６を構成してもよい。【００３１】  ワッシャ１９とガイド孔６の内底面の間に圧縮コイルスプリング２９が嵌め込まれており、その張力が摺動部１３に作用して端面２４が内端面２５に密着している。通気口１０から供給された冷却空気は、空気通路２６に達しているが、上記密着によって通気が禁止されている。なお、符号３０は、ガイド孔６の内底面に嵌め込んだ絶縁シートである。【００３２】  つぎに、摺動部とガイドピンの組み合わせ関係について説明する。【００３３】  摺動部１３は筒型であり、そこにガイドピン１２が差し込んである。上述のように、挿入孔１７にガイドピン１２を圧入することによって、ガイドピン１２と摺動部１３の一体性が向上する。ガイドピン１２の小径部１６を除いた部分の長さがＬ１であり、また、ガイドピン１２が摺動部１３（挿入孔１７）に差し込まれている長さがＬ２である。Ｌ１の１／２以上が差し込まれているので、Ｌ２／Ｌ１は１／２以上となっている。以下、Ｌ１に対するＬ２の比を「挿入比」と表現する。【００３４】ガイドピン１２の直径に対する摺動部１３の直径の比を、以下、「直径比」と表現する。ガイドピン１２の直径を一定値に設定し、摺動部１３の直径を順次変えて行くことにより、熱的影響の状況を観察した。【００３５】  ガイドピン１２の直径は、１０．１ｍｍである。これに対し、摺動部１３の直径は１５．５ｍｍである。このときの直径比は１．５３である。そして、摺動部１３の肉厚は２．７ｍｍである。【００３６】  このような各部寸法に設定することにより、端面２４と内端面２５の適正な密着、摺動部１３の薄肉化による蓄熱量の低減、摺動部１３の摺動面の摩耗量の低減、ガイドピン１２の傾き低減と溶接精度の向上、空気通路２６の流路面積を適正に確保、電極本体１のスリム化などがえられる。【００３７】  ガイドピン１２の直径は、１０．１ｍｍである。これに対し、摺動部１３の直径を１３ｍｍにすると、直径比は１．２９となる。そして、摺動部１３の肉厚は１．４５ｍｍとなる。【００３８】  このようにガイドピン１２の直径寸法に対して、摺動部１３の直径寸法を変えると、端面２４と内端面２５の適正な密着、摺動部１３の薄肉化による蓄熱量の低減、摺動部１３の摺動面の摩耗量の低減、ガイドピン１２の傾き低減と溶接精度の向上、空気通路２６の流路面積を適正に確保、電極本体１のスリム化などがえられる。【００３９】  しかし、直径比が１．３未満であると、摺動部１３の肉厚が薄すぎて内端面２５に対する端面２４の着座面積が十分に確保できない、という問��が発生する。つまり、摺動部端面２４の直径方向で見た着座幅に不足を来たし、節度ある冷却空気の断続が不可能となる。さらに、冷却空気の空気通路２６が摺動部外周面に凹溝２８を形成するような形式であると、凹溝２８の通気断面積を十分に確保することが困難となり、適正な空冷が不可能となる。したがって、直径比は１．３以上に設定することが適正であると判定される。また、空気通路２６が平面部２７によって形成されている場合も、通気断面積の問題が同様に発生する。【００４０】  ガイドピン１２の直径は、１０．１ｍｍである。これに対し、摺動部１３の直径を１７．３ｍｍにすると、直径比は１．７２となる。そして、摺動部１３の肉厚は３．６ｍｍとなる。【００４２】上記のように、直径比が１．７を超えると、摺動部１３の肉厚が過大になり、摺動部１３の蓄熱量も過大になり、上述のような薄肉化にともなう熱膨張減少や摩耗量の少量化、軸心合致面の精度向上などの利点が追求できないこととなる。【００４３】  比較例として、上記特許文献１および２に図示されているガイドピンや摺動部の寸法から算出した直径比は、２．０〜２．６であり、このような直径比の電極の使用結果を観察すると、摺動部の肉厚が過大であるために、摺動部外周面の摩耗量が著しく大きくなり、ガイドピンの傾き方向のがたつきも過大であることが認められた。【００４４】  上述のような考察から総合的に判定すると、直径比は１．３〜１．７とすることが適正であり、これにより優れた信頼性の高い電気抵抗溶接電極がえられる。【００４５】  一方、「直径比」と前記「挿入比」との相関性を考察すると、挿入比を１／２以上とすることにより、摺動部１３が薄肉であっても、差し込み長さが長いので、摺動部１３とガイドピン１２の強固な一体性が確保できる。つまり、摺動部１３が薄肉であると、ガイドピン１２に対する直径方向の摺動部１３の緊迫力が低下し、ガイドピン１２との一体性が低下するのであるが、挿入比を１／２以上とすることにより、薄肉化による弱点を補うことができる。【００４６】  以上に説明した実施例１の作用効果は、つぎのとおりである。【００４７】  通常、金属材料製の電極本体１やガイドピン１２に比して、合成樹脂製電極部品、すなわち摺動部１３の熱膨張量は著しく大きいのであるが、上述のように、合成樹脂製の摺動部１３が薄肉とされて蓄熱量が低減されているので、直径方向における摺動部１３自体の熱膨張量が小さくなる。連続的な溶接によって加熱サイクルが増大して摺動部１３の温度が耐えられる最高値に達しても、上記熱膨張量が少ないために、ガイド孔６の内面に対する加圧力が低減し、摺動部１３の摺動面における摩耗量が最小化される。このため、最も消耗しやすい摺動部１３の耐用期間が長期化され、部品メンテナンスの面で有効である。【００４８】  さらに、上記熱膨張量の低減により、摺動部外周面とガイド孔内周面との間の摺動間隙が小さく保たれて、ガイドピン１２の傾きが抑制される。このようにガイドピン１２の傾斜角度を最小化することにより、ガイドピン１２で支持されているプロジェクションナット１５の鋼板部品３の下孔１４に対する位置精度が向上する。すなわち、下孔１４の中心軸線と上記ナット１５の中心軸線のずれを最小化することができ、溶接精度の向上にとって有効である。【００４９】  摺動部１３の肉厚が大きければ、摺動部材料の膨張量が増大し、その増大分が空気通路２６の空間の方へ膨張するので、空気通路２６の流路面積が縮小され、冷却空気の流量が低減し、冷却効果が低減する。しかし、上述のように、摺動部１３の肉厚を低減することにより、摺動部材料の膨張量を最小化することができ、それに伴って空気通路２６の流路面積の減少を回避し、正常な冷却作用がなされる。【００５０】  摺動部１３の薄肉化にともなって摺動部１３の直径が小さくなるので、電極本体１の直径も小さくなって、狭い箇所などでの電極配置が行いやすくなる。【００５１】  上述の薄肉化に加えて、摺動部１３には、冷却空気の空気通路が形成されているので、体積が小さくされた摺動部１３の冷却が効果的になされ、上記熱膨張量低減による作用効果の一層の促進が図られる。【００５２】  以上に述べたように総括的に見ると、摺動部１３の端面２４とガイド孔６の内端面２５との密着面積を必要最小限に確保しつつ摺動部１３の薄肉化を図ることが、冷却空気の断続を確実に行い、摺動部１３の摩耗量を低減して耐用時間を長期化し、ナット１５の鋼板部品３の下孔１４に対するセンタリングが向上し、冷却空気の正常な空気通路面積の確保などを実現することに相関しており、耐久性や溶接精度向上などに寄与する電気抵抗溶接用電極がえられる。【００５３】ガイドピン１２の直径に対する摺動部１３の直径の比（「直径比」）が１．３〜１．７である。【００５４】  直径比を１．３〜１．７とすることにより、摺動部１３の肉厚を薄肉に設定するとともに、摺動部１３の端面２４とガイド孔６の内端面２５との密着面積を摺動部全周にわたって確保することができ、上述のような薄肉化にともなう熱膨張や摩耗量の少量化、軸心合致面の精度向上などの利点確保以外に、冷却空気の断続作用が確実に達成される。さらに、摺動部１３の適正な肉厚を確保することにより、冷却空気の空気通路２６が確実に形成され、摺動部１３の冷却が正常になされる。【００５５】  直径比が１．３未満であると、摺動部１３の肉厚が薄すぎてガイド孔６の内端面２５に対する摺動部端面２４の着座面積が十分に確保できない、という問題が発生する。つまり、摺動部端面２４の直径方向で見た着座幅に不足を来たし、節度ある冷却空気の断続が不可能となる。さらに、冷却空気の空気通路２６が摺動部外周面に空気溝を形成するような形式であると、空気溝の通気断面積を十分に確保することが困難となり、適正な空冷が不可能となる。【００５６】  一方、直径比が１．７を超えると、摺動部１３の肉厚が過大になり、摺動部１３の蓄熱量も過大になり、上述のような薄肉化にともなう熱膨張や摩耗量の少量化、軸心合致面の精度向上などの利点が追求できないこととなる。したがって、直径比を１．３〜１．７とすることにより、優れた信頼性の高い電気抵抗溶接用電極がえられる。
【実施例２】
【００５７】  図２は、本発明の実施例２を示す。【００５８】  この実施例２は、実施例１のプロジェクションナットに換えてプロジェクションボルトであることと、ガイドピンと摺動部の一体化の仕方が異なったものである。【００５９】  鉄製のプロジェクションボルト３２は、雄ねじが形成された軸部３３に円形のフランジ３４が一体化されたもので、フランジ３４の下面に溶着用突起３５が１２０度間隔で３個設けてある。【００６０】  摺動部１３は、ガイドピン１２をインジェクション成型機の金型にセットし、合成樹脂を射出して成型したもので、ガイドピン１２に抜け止め用の小径部３６が形成してある。ガイドピン１２は中空ピンの形状で、その中に軸部３３が挿入されている。それ以外の構成は、図示されていない部分も含めて先の実施例と同じであり、同様な機能の部材には同一の符号が記載してある。【００６１】  また、実施例２の作用効果も先の実施例と同じである。
【産業上の利用可能性】
【００６２】  上述のように、本発明の電極によれば、ガイド孔内を進退する摺動部の蓄熱量を低減させて、摺動部外周面の異常摩耗を防止したり、ガイドピンの異常傾斜を防止したりする。したがって、自動車の車体溶接工程や、家庭電化製品の板金溶接工程などの広い産業分野で利用できる。
【符号の説明】
【００６３】  １    電極本体
３    鋼板部品
６    ガイド孔
１２    ガイドピン
１３    摺動部
１４    下孔
１５    プロジェクションナット
２４    端面
２５    内端面
２６    空気通路
３２    プロジェクションボルト
【図１】
0006541029.tif 000002
【図２】
0006541029.tif 000003